(57)【要約】【課題】３ビーム法と差動プッシュプル法によるトラッキング制御に対応する受光素子に関する装置を提供する。【解決手段】第１光源及び第２光源から出射されるそれぞれのレーザービームを選択的に単一の対物レンズに入射して通常密度記録媒体の読み取り及び高密度記録媒体の書き込みを行う差動プッシュプル法によるトラッキング制御に対応させた光ピックアップ装置であって、各記録媒体によって反射されたレーザービームを受光する受光素子を備え、受光素子はメイン素子１と該メイン素子１の前後に直交する２本の分割線により４分割されたサブ素子２、３により構成され、かつ、メイン素子１に近い領域の２領域をもう一方の２領域に比べて広く設け、差動プッシュプル法の動作においてサブ素子に照射されるサブビームスポットは４分割された交点の中心にビームスポットを照射し、３ビーム法の動作時は、前記広い２領域の接線の中心にビームスポットを照射する【選択図】    図１
2004348888.tif 000002
【特許請求の範囲】
【請求項１】
通常記録密度の通常密度記録媒体に適した波長のレーザービームを出射する第１光源及び前記通常記録密度より高密度の高密度記録媒体に適した波長のレーザービームを出射する第２光源を備え、それらの第１光源及び第２光源から出射されるそれぞれのレーザービームを選択的に単一の対物レンズに入射して通常密度記録媒体の読み取り及び高密度記録媒体の書き込みを行う差動プッシュプル法によるトラッキング制御に対応させた光ピックアップ装置であって、各記録媒体によって反射されたレーザービームを受光する受光素子を備え、受光素子はメイン素子と該メイン素子の前後に直交する２本の分割線により４分割されたサブ素子により構成され、かつ、メイン素子に近い領域の２領域をもう一方の２領域に比べて広く設け、差動プッシュプル法の動作においてサブ素子に照射されるサブビームスポットは４分割された交点の中心にビームスポットを照射し、３ビーム法の動作時は、前記広い２領域の接線の中心にビームスポットを照射することを特徴とする光ピックアップ装置。
【発明の詳細な説明】
【０００１】
【発明の属する技術分野】
本発明は、ディスクの記録再生に使用されるメインビームとこの前後に配置される各サブビームとの３ビームをディスクに照射し、差動プッシュプル法及び３ビーム法によるトラッキング制御に対応させた光ピックアップ装置。
【０００２】
【従来の技術】
光ピックアップ装置としては、ＣＤ（Ｃｏｍｐａｃｔ  Ｄｉｓｃ）の記録密度に適した波長のレーザービームを発光するレーザーダイオード及びＤＶＤ（Ｄｉｇｉｔａｌ  Ｖｅｒｓａｔｉｌｅ  Ｄｉｓｃ）の記録密度に適した波長のレーザービームを各々レーザーダイオードを個別に配置し、光検出器も通常、前記各々に対応する光検出器を配置していた。
【０００３】
しかし、前述の構成によるとコストアップになることから、各々異なる波長のレーザーダイオードを個別に配置し、記録密度が異なるＣＤ及びＤＶＤを、差動プッシュプル法によって同一光検出器で受光させて検出させたものがある。
【０００４】
図３に示した方式は差動プッシュプル法であり、光検出器にはメイン素子１の受光面１Ａ、１Ｂ、１Ｃ、１Ｄを中央に配し、該メイン素子１の前後には受光面２Ａ、２Ｂ、２Ｃ、２Ｄで構成するサブ素子Ａ２と受光面３Ａ、３Ｂ、３Ｃ、３Ｄで構成するサブ素子Ｂ３とで構成されている。このように配置された光検出器に照射されるレーザービームはメイン素子１の受光面１Ａ、１Ｂ、１Ｃ、１Ｄの４分割線の中央部１Ｅとサブ素子２の受光面２Ａ、２Ｂ、２Ｃ、２Ｄの４分割線の中央部２Ｅとサブ素子３の受光面３Ａ、３Ｂ、３Ｃ、３Ｄの４分割線の中央部３Ｅに照射され、図３に示す通り光検出器の出力は２Ａ＋３Ａと２Ｂ＋３Ｂと２Ｄ＋３Ｄを出力し、差動プッシュプル法によるトラッキング制御が行われ、また２Ｃ＋３Ｃの出力はフォーカスに関する制御が行われる。
【０００５】
【特許文献１】
特開２０００−３３９７３８号
【０００６】
【発明が解決しようとする課題】
ＤＶＤ記録及びＣＤ再生の機能を有した装置に、ＤＶＤとＣＤに対応する光検出器は各々専用の受光素子を設けた製品も有るが、トラッキング制御するのにＤＶＤとＣＤが共に共通の受光素子を用いた１２分割の光検出器を使用した製品が多く、このような製品はトラッキングエラー信号を差動プッシュプル法により信号を取得している。最近、中国製ビデオＣＤの多くが、差動プッシュプル法ではトラッキング信号が得られず、再生できないという問題があった。
【０００７】
本発明は、ＤＶＤとＣＤ再生を差動プッシュプル法の受光パターンを採用し、問題点の解決を図った光ピックアップ装置を提供する。
【０００８】
【課題を解決するための手段】
本発明は、サブ素子をメイン素子の前後に４分割されて配置され、かつ、メイン素子に近い領域の２領域をもう一方の２領域に比べて広く設け、差動プッシュプル法の動作においてサブ素子に照射されるサブビームスポットは直交する２本の分割線により４分割された交点の中心にビームスポットを照射し、３ビーム法の動作時は、前記広い２領域の接線の中心にビームスポットを照射するようにした。
【０００９】
【実施例】
図１は本発明の一実施例を示す光ピックアップ装置の光検出器受光面の配置図、図２は図１における光学配置図である。
【００１０】
図２において、４はＣＤに適した波長、例えば７８０ｎｍのレーザービームを発光するＣＤレーザー素子であり、該ＣＤレーザー素子４から出射されるレーザービームは、ＣＤ回折格子５を介してハーフミラー６により反射されてビームスプリッター７を通過して対物レンズ８により収束されてディスク９の記録面に合致し到達される。
【００１１】
前記ディスク９により反射されたレーザービームは対物レンズ８を介してビームスプリッター７を通過し、更にハーフミラー６を通過して光検出器１０により受光され、ＣＤの記録信号が得られると共に、ＣＤに対応したフォーカシング制御及びトラッキング制御に用いられる各制御信号が得られる。
【００１２】
１１はＤＶＤに適した波長、例えば６５０ｎｍのレーザービームを発光するＤＶＤレーザー素子であり、該ＤＶＤレーザー素子１１から出射されるレーザービームは、ＤＶＤ回折格子６を通過し、ビームスプリッター７により光軸が折曲され、対物レンズ８により収束されてディスク９に合致し到達される。
【００１３】
前記ディスク９により反射されたレーザービームは対物レンズ８を介してビームスプリッター７を通過し、更にハーフミラー６を通過して光検出器１０により受光され、ＤＶＤの信号が得られると共に、ＤＶＤに対応したフォーカシング制御及びトラッキング制御に用いられる各制御信号が得られる。
【００１４】
次に図１に示す光検出器１０に組み込まれた受光面の構成および動作について説明する。符号に関しては従来例と使用した同じ部品名については受光面積が違うものの同一番号を使用した。図１において、メイン素子１に田の字に分割された受光面１Ａ、１Ｂ、１Ｃ、１Ｄを中央に配し、該メイン素子１の前後には４分割された受光面２Ａ、２Ｂ、２Ｃ、２Ｄを有するサブ素子Ａ２と該サブ素子Ａ２の反対側に４分解された受光面３Ａ、３Ｂ、３Ｃ、３Ｄで構成するサブ素子Ｂ３が配置されており、前記サブ素子Ａ２の受光面２Ａ、２Ｂは受光面２Ｃ、２Ｄより広い受光面積を有し、また、前記サブ素子Ｂ３の受光面３Ｃ、３Ｄは受光面３Ａ、３Ｂより広い受光面積を有している。この構成は後述するＣＤ再生において大きな効果を有する。
【００１５】
まず、ＤＶＤの動作時において、差動非点収差法によるトラッキング信号を得る構成を有し、前記ＤＶＤレーザー素子１１より出射されるレーザービームは、前述したように各光学部品を通過した後、光検出器１０に組み込まれているメイン素子１の４分割された受光面１Ａ、１Ｂ、１Ｃ、１Ｄの中央部であるスポット１Ｅ点に照射され、フォーカスエラー信号など、記録情報信号を得る素子となる。
【００１６】
また、サブ素子Ａ２とサブ素子Ｂ３に照射されるレーザービームは、サブ素子Ａ２の受光面２Ａ、２Ｂ、２Ｃ、２Ｄに直交する２本の分割線により４分割されている中央部に位置するスポット２Ｅ点とサブ素子Ｂ３の受光面３Ａ、３Ｂ、３Ｃ、３Ｄに４分割されている中央部に位置するスポット３Ｅ点にレーザービームが照射される。
【００１７】
このように照射された出力信号は図１に示すように２Ａ＋３Ａと２Ｂ＋３Ｂと２Ｄ＋３Ｄと２Ｃ＋３Ｃの４つの信号を得ることができ、この信号によって差動非点収差法を用いてトラッキング調整を行うこととなる。
【００１８】
次に本発明の主題に関するＣＤの再生において、前述した差動プッシュプル法による受光面のパターンを採用するものであり、３ビーム法を実現する構成として、前記ＣＤレーザー素子４により出射されるレーザービームは、前記ＣＤ回折格子５を通過し、前述したように各光学部品を通過した後、メイン素子１の受光面１Ａ、１Ｂ、１Ｃ、１Ｄの中央部であるスポット１Ｅとサブ素子Ａ２の受光面２Ａ、２Ｂの接線の中央であるスポット２Ｆと、サブ素子Ｂ３の受光面３Ｃ、３Ｄの接線の中央であるスポット３Ｆにスポット照射される。
【００１９】
このように照射するには予め前述した受光面２Ａ、２Ｂが受光面２Ｃ、２Ｄより受光面積が大きいのと受光面３Ｃ、３Ｄが受光面３Ａ、３Ｂより受光面積が大きいのはレーザービームが受光面２Ａ、２Ｂと受光面３Ｃ、３Ｄに容易に照射しやすいようにするためであり、また、ＣＤ回折格子５のピッチ角度を調整し、所定の位置に照射されるように設定されている。
【００２０】
このように照射することにより、受光面２Ｃ、２Ｄ、３Ａ、３Ｂにはレーザービームが照射されていないため、受光面２Ｃ、２Ｄ、３Ａ、３Ｂの出力信号はゼロとみなすと、出力信号は受光面２Ａ、２Ｂ、３Ｃ、３Ｄが出力されることとなり、更に２Ａ＋２Ｂと３Ｃ＋３Ｄの信号を各々加えることによりＣＤディスクの３ビーム法の再生が可能となる。
【００２１】
【発明の効果】
以上述べた如く、受光素子はメイン素子とサブ素子とにより構成され、サブ素子はメイン素子の前後に４分割されて配置され、かつ、メイン素子に近い領域の２領域をもう一方の２領域に比べて広く設け、ＤＶＤ動作においては差動プッシュプル法によりサブ素子に照射されるサブビームスポットは直交する２本の分割線により４分割された交点の中心にビームスポットを照射し、ＣＤ動作時においては、前記広い２領域の接線の中心にビームスポットを照射して３ビーム法によるトラッキング信号を取得するようにしたので、ＣＤ再生による差動プッシュプル法でのトラッキング信号の方式ではトラッキング信号が得られないという問題が生じていた中国製のビデオＣＤの多くが正常なトラッキング信号を得ることができるという優れた効果を有している。
【００２２】
そして、現行の受光素子である一部の受光面を変更するのみで、低価格で、しかも容易に３ビームを実現できるものである。
【図面の簡単な説明】
【図１】本発明の一実施例を示す光ピックアップ装置の光検出器受光面の配置図である。
【図２】図１に示す光ピックアップ装置の光学配置図である。
【図３】従来例を示す光ピックアップ装置の光検出器受光面の配置図である。
【符号の説明】
１            メイン素子
２            サブ素子Ａ
３            サブ素子Ｂ
４            ＣＤレーザー素子
８            対物レンズ
９            ディスク
１０            光検出器
１１            ＤＶＤレーザー素子
【図１】
2004348888.tif 000003
【図２】
2004348888.tif 000004
【図３】
2004348888.tif 000005